(57)【要約】【課題】  誤って長尺のビスを使用したときでもねじ込まれ過ぎないようにすること。【解決手段】  薄型表示装置のリアカバー２ａが内外両壁掛け金具４，５により挟まれ、その外側壁掛け金具５及びリアカバー２ａの複数の貫通孔１３，１４を通って内側壁掛け金具４のねじ孔１１にビス１５をねじ込み、外側壁掛け金具５を壁面の係止具に係止することにより、薄型表示装置が壁面に取り付けられ、前記各ねじ孔１１に接近して内側壁掛け金具４に複数の舌片２３が一体延設され、該各舌片２３を折り曲げることにより、該各舌片２３の先端部が前記各ねじ孔１１に所定間隔ｈ１をおいて対向され、その各舌片２３の先端部に各ねじ孔１１と同心状の回止め孔２４が貫設されており、正規のビス１５よりも長尺のビス１８が各ねじ孔１１にねじ込まれたときに、その長尺のビス１８の先端を各回止め孔２４の内周面２４ａに食い込ませるようにした。【選択図】        図１
2008281024.tif 000002
【特許請求の範囲】
【請求項１】
薄型表示装置のリアカバーが内外両壁掛け金具により挟まれ、その外側壁掛け金具及び
リアカバーの複数の貫通孔を通って内側壁掛け金具の複数のねじ孔にビスをねじ込むこと
により、内外両壁掛け金具がリアカバーを間に挟んで一体的に連結され、その外側壁掛け
金具を壁面の係止具に係止することにより薄型表示装置が壁面に取り付けられるようにし
た薄型表示装置の壁掛け器具において、前記各ねじ孔に接近して内側壁掛け金具に複数の
舌片が一体延設され、該各舌片を折り曲げることにより、該各舌片の先端部が前記各ねじ
孔に所定間隔をおいて対向され、その各舌片の先端部に各ねじ孔と同心状の回止め孔が貫
設されており、正規のビスよりも長尺のビスが各ねじ孔にねじ込まれたときに、その長尺
のビスの先端を各回止め孔の内周面に食い込ませるようにしたことを特徴とする薄型表示
装置の壁掛け器具。
【請求項２】
前記各回止め孔の内径が、前記各ビスの外径よりも小さくてその各ビスの谷の径よりも
大きく設定されていることを特徴とする請求項１に記載の薄型表示装置の壁掛け器具。
【請求項３】
前記各回止め孔のねじ孔側内周縁を面取りしてテーパ面が形成されていることを特徴と
する請求項１または２に記載の薄型表示装置の壁掛け器具。
【請求項４】
前記各回止め孔の内周面とテーパ面との間の境界線から内側壁掛け金具までの間隔が、
ねじ孔にねじ込んだ正規のビスの内側壁掛け金具からの突出長さと同一またはわずかに小
さく設定されており、ねじ孔にねじ込んだ正規のビスの先端部がテーパ面に当接されるよ
うにしたことを特徴とする請求項３に記載の薄型表示装置の壁掛け器具。
【請求項５】
薄型表示装置のリアカバーが内外両壁掛け金具により挟まれ、その外側壁掛け金具及び
リアカバーの複数の貫通孔を通って内側壁掛け金具の複数のねじ孔にビスをねじ込むこと
により、内外両壁掛け金具がリアカバーを間に挟んで一体的に連結され、その外側壁掛け
金具を壁面の係止具に係止することにより、薄型表示装置が壁面に取り付けられるように
した薄型表示装置の壁掛け器具において、前記各ねじ孔に接近して内側壁掛け金具に複数
の舌片が一体延設され、該各舌片を折り曲げることにより、該各舌片の先端部が前記各ね
じ孔に所定間隔をおいて対向され、その各舌片の先端部に各ねじ孔と同心状の回止め孔が
貫設され、該各回止め孔の内径が、前記各ビスの外径よりも小さくてその各ビスの谷の径
よりも大きく設定され、その各回止め孔のねじ孔側内周縁を面取りしてテーパ面が形成さ
れており、正規のビスよりも長尺のビスが各ねじ孔にねじ込まれたときに、その長尺のビ
スの先端を各回止め孔の内周面に食い込ませるようにしたことを特徴とする薄型表示装置
の壁掛け器具。
【発明の詳細な説明】
【技術分野】
【０００１】
本発明は、例えば液晶テレビや液晶モニターなどの薄型表示装置を壁面に掛けるための
壁掛け器具に関し、特に、安価な構造で誤って長尺のビスを使用したときでもねじ込まれ
過ぎないようにしたものである。
【背景技術】
【０００２】
図６及び図７は、従来の壁掛け器具１により薄型表示装置２を壁面３に掛けた状態を示
すものであって、図６（ａ）は同正面図、図６（ｂ）は同一部切欠き側面図、図７（ａ）
は同要部の拡大縦断面図、図７（ｂ）は同要部の拡大分解斜視図である。
【０００３】
図６及び図７に示すように、前記壁掛け器具１は、薄型表示装置２のリアカバー２ａを
挟む内外両壁掛け金具４，５と、壁面３に止着した係止具６とを有し、薄型表示装置２の
正面には映像を映すための表示面２ｂが形成されている。
【０００４】
図６に示すように、前記内側壁掛け金具４は、板金により正面視略Ｈ字状に形成されて
おり、その中央部の左右一対の係合孔７をリアカバー２ａの左右一対のＬ字状フック８に
係合させ、その上端部２箇所を２つの止着具９で止着することにより、リアカバー２ａの
内面に固定されている。
【０００５】
図７に示すように、前記内側壁掛け金具４の四隅に絞り加工を施すことにより有底筒状
部１０が形成され、該各有底筒状部１０の内面にねじ孔１１が形成されている。
【０００６】
図６（ｂ）に示すように、外側壁掛け金具５は内側壁掛け金具４とほぼ同形に形成され
、その裏面に略Ｌ字状係止片１２が一体突設されており、図７（ａ）に示すように、外側
壁掛け金具５をリアカバー２ａの外面に当て付け、その外側壁掛け金具５及びリアカバー
２ａの貫通孔１３，１４を通ってねじ孔１１にトルクレンチなどの締付具で正規のビス１
５をねじ込むことにより、内外両壁掛け金具４，５がリアカバー２ａを間に挟んで一体的
に連結されている。なお、図７（ａ）中、１６は座金である。
【０００７】
壁掛け手順を説明すると、図６（ｂ）に示すように，薄型表示装置２を把持して係止片
１２を係止具６のポケット６ａに差し込むことにより、その薄型表示装置２が壁面３に係
止される。なお、関連する技術として特許文献１に記載したものがある。
【特許文献１】特開平１１−２９４４３６号公報
【発明の開示】
【発明が解決しようとする課題】
【０００８】
上記構成によれば、図７（ａ）の実線で示す正規のビス１５に比べて仮想線で示すよう
に長尺のビス１８を誤ってねじ込んでも、その長尺のビス１８の先端が各有底筒状部１０
の底面に当たってそれ以上ねじ込まれないので、間違いにすぐ気がつくことができと共に
、長尺のビス１８がリアカバー２ａ内に深く入って電子部品などに接触することよりその
電子部品を損傷させたりショートしたりするなどの事故を防ぐことができる。
【０００９】
しかし、各有底筒状部１０を形成するために高価な絞り材を用いる必要があると共に、
金型による絞り加工の工程数が多くて手間と時間とがかかり、しかも、その有底筒状部１
０の内面にねじ孔１１を形成するのに精密加工が必要であるから、製作費が高くつく。
【００１０】
また、特許文献１によれば、図８に示すように、筐体２０にねじ孔１１が形成され、そ
のねじ孔１１とはピッチが異なるねじ孔２１ａを形成した本体部２１を筐体２０に固定し
たものであって、誤って長尺のビス１８をねじ孔１１にねじ込むと、その長尺のビス１８
の先端がねじ孔２１ａにねじ込まれるが、その両ねじ孔１１，２１ａのピッチが異なるこ
とから、長尺のビス１８を回転させることが困難になって、そのねじ込みが阻止されるよ
うになっている。
【００１１】
上記構成によれば、ねじ孔１１を形成した筐体２０とは別個に本体部２１を用いており
、部品点数が多くなると共に、その本体部２１を筐体２０に固定するのに手間と時間とが
かかり面倒である。しかも、筐体２０のねじ孔１１とはピッチが異なるねじ孔２１ａを本
体部２１に形成する必要があり、ねじ孔加工にも手間と時間とがかかるので、構造が複雑
で製作費が高くつく。
【００１２】
本発明は、上記従来の欠点に鑑み、安価な構造で誤って長尺のビスを使用したときでも
ねじ込まれ過ぎないようにした薄型表示装置の壁掛け器具を提供することを目的としてい
る。
【課題を解決するための手段】
【００１３】
上記目的を達成するため、請求項１に記載の発明は、薄型表示装置のリアカバーが内外
両壁掛け金具により挟まれ、その外側壁掛け金具及びリアカバーの複数の貫通孔を通って
内側壁掛け金具の複数のねじ孔にビスをねじ込むことにより、内外両壁掛け金具がリアカ
バーを間に挟んで一体的に連結され、その外側壁掛け金具を壁面の係止具に係止すること
により薄型表示装置が壁面に取り付けられるようにした薄型表示装置の壁掛け器具におい
て、前記各ねじ孔に接近して内側壁掛け金具に複数の舌片が一体延設され、該各舌片を折
り曲げることにより、該各舌片の先端部が前記各ねじ孔に所定間隔をおいて対向され、そ
の各舌片の先端部に各ねじ孔と同心状の回止め孔が貫設されており、正規のビスよりも長
尺のビスが各ねじ孔にねじ込まれたときに、その長尺のビスの先端を各回止め孔の内周面
に食い込ませるようにしたことを特徴としている。
【００１４】
請求項２に記載の発明は、請求項１に記載の発明において、前記各回止め孔の内径が、
前記各ビスの外径よりも小さくてその各ビスの谷の径よりも大きく設定されていることを
特徴としている。
【００１５】
請求項３に記載の発明は、請求項１または２に記載の発明において、前記各回止め孔の
ねじ孔側内周縁を面取りしてテーパ面が形成されていることを特徴としている。
【００１６】
請求項４に記載の発明は、請求項３に記載の発明において、前記各回止め孔の内周面と
テーパ面との間の境界線から内側壁掛け金具までの間隔が、ねじ孔にねじ込んだ正規のビ
スの内側壁掛け金具からの突出長さと同一またはわずかに小さく設定されており、ねじ孔
にねじ込んだ正規のビスの先端部がテーパ面に当接されるようにしたことを特徴としてい
る。
【００１７】
請求項５に記載の発明は、薄型表示装置のリアカバーが内外両壁掛け金具により挟まれ
、その外側壁掛け金具及びリアカバーの複数の貫通孔を通って内側壁掛け金具の複数のね
じ孔にビスをねじ込むことにより、内外両壁掛け金具がリアカバーを間に挟んで一体的に
連結され、その外側壁掛け金具を壁面の係止具に係止することにより、薄型表示装置が壁
面に取り付けられるようにした薄型表示装置の壁掛け器具において、前記各ねじ孔に接近
して内側壁掛け金具に複数の舌片が一体延設され、該各舌片を折り曲げることにより、該
各舌片の先端部が前記各ねじ孔に所定間隔をおいて対向され、その各舌片の先端部に各ね
じ孔と同心状の回止め孔が貫設され、該各回止め孔の内径が、前記各ビスの外径よりも小
さくてその各ビスの谷の径よりも大きく設定され、その各回止め孔のねじ孔側内周縁を面
取りしてテーパ面が形成されており、正規のビスよりも長尺のビスが各ねじ孔にねじ込ま
れたときに、その長尺のビスの先端を各回止め孔の内周面に食い込ませるようにしたこと
を特徴としている。
【発明の効果】
【００１８】
請求項１に記載の発明によれば、誤って正規のビスよりも長尺のビスを外側壁掛け金具
及びリアカバーの貫通孔を通って内側壁掛け金具のねじ孔にねじ込むと、その長尺のビス
の先端が舌片の回止め孔の内周面に食い込み、それ以上のねじ込みが不可能となるので、
長尺のビスがリアカバー内に深く入って電子部品などに接触することよりその電子部品を
損傷させたりショートしたりするなどの事故を防ぐことができる。
【００１９】
前記舌片が内側壁掛け金具に一体延設されており、部品点数が増加せず、しかも、その
舌片の先端部に回止め孔を形成しているだけであり、従来のようにねじ孔を形成していな
いから、構造簡単で製作費が安くつく。
【００２０】
要するに、壁掛けタイプの薄型表示装置において、長尺のビスを誤ってリアカバー内に
深くねじ込むことがないようにした使い勝手のよい壁掛け器具を提供するものである。
【００２１】
請求項２において、各回止め孔の内径が各ビスの外径を超えて大きい場合には、誤って
ねじ込んだ長尺のビスの先端部が回止め孔を通過してリアカバー内の電子部品などに接触
したりショート事故を生じさせるおそれがある。
【００２２】
各回止め孔の内径が各ビスの谷の径未満の場合には、誤ってねじ込んだ長尺のビスの先
端部により舌片が押し曲げられて、その長尺のビスの先端部がリアカバー内に深く入って
電子部品などに接触したりショート事故を生じさせるおそれがある。
【００２３】
そこで、本発明では、各回止め孔の内径が各ビスの外径よりも小さくてその各ビスの谷
の径よりも大きく設定されており、これによって、誤ってねじ込んだ長尺のビスの先端部
が回止め孔の内周面に確実に食い込んで、その長尺のビスをそれ以上ねじ込めないように
することができる。
【００２４】
請求項３に記載の発明によれば、誤ってねじ込んだ長尺のビスの先端部がテーパ面に沿
って回止め孔に案内されるから、その長尺のビスの先端部を回止め孔の内周面に一層確実
に食い込ませることができる。
【００２５】
請求項４に記載の発明によれば、ねじ孔に正規のビスをねじ込むことにより、該ビスの
先端部がテーパ面に当接され、これによって、その正規のビスのねじ込みが緩まないよう
にすることができる。
【００２６】
この場合、回止め孔及びテーパ面を備えた舌片が、正規のビスのねじ込み緩み止め機能
と長尺のビスのねじ込み阻止機能との２つの機能を有しており、使い勝手がよい。
【００２７】
請求項５に記載の発明は第１の実施の形態（図１〜図４参照）に対応するものであって
、これによれば、誤って正規のビスよりも長尺のビスを外側壁掛け金具及びリアカバーの
貫通孔を通って内側壁掛け金具のねじ孔にねじ込むと、その長尺のビスの先端が舌片の回
止め孔の内周面に食い込み、それ以上のねじ込みが不可能となるので、長尺のビスがリア
カバー内に深く入って電子部品などに接触することよりその電子部品を損傷させたりショ
ートしたりするなどの事故を防ぐことができる。
【００２８】
前記舌片が内側壁掛け金具に一体延設されており、部品点数が増加せず、しかも、その
舌片の先端部に回止め孔を形成しているだけであり、従来のようにねじ孔を形成していな
いから、構造簡単で製作費が安くつく。
【００２９】
また、各回止め孔の内径が各ビスの外径を超えて大きい場合には、誤ってねじ込んだ長
尺のビスの先端部が回止め孔を通過してリアカバー内の電子部品などに接触したりショー
ト事故を生じさせるおそれがある。
【００３０】
各回止め孔の内径が各ビスの谷の径未満の場合には、誤ってねじ込んだ長尺のビスの先
端部により舌片が押し曲げられて、その長尺のビスの先端部がリアカバー内に深く入って
電子部品などに接触したりショート事故を生じさせるおそれがある。
【００３１】
そこで、本発明では、各回止め孔の内径が各ビスの外径よりも小さくてその各ビスの谷
の径よりも大きく設定されており、これによって、誤ってねじ込んだ長尺のビスの先端部
が回止め孔の内周面に確実に食い込んで、その長尺のビスをそれ以上ねじ込めないように
することができる。
【００３２】
更に、誤ってねじ込んだ長尺のビスの先端部がテーパ面に沿って回止め孔に案内される
から、その長尺のビスの先端部を回止め孔の内周面に一層確実に食い込ませることができ
る。
【００３３】
要するに、壁掛けタイプの薄型表示装置において、長尺のビスを誤ってリアカバー内に
深くねじ込むことがないようにした使い勝手のよい壁掛け器具を提供するものである。
【発明を実施するための最良の形態】
【００３４】
図１〜図４は本発明の第１の実施の形態である薄型表示装置２の壁掛け器具１を示すも
のであって、図１（ａ）は同要部の拡大縦断面図、図１（ｂ）は同拡大分解斜視図、図２
は同舌片付近の拡大展開図、図３（ａ）は回止め孔付近の拡大縦断面図、図３（ｂ）は同
ビスの先端部の拡大側面図、図４は同長尺のビスをねじ込んだ状態の要部の拡大縦断面図
である。
【００３５】
正面視略Ｈ字状の内側壁掛け金具４の四隅にねじ孔１１が貫設され（図６参照）、該各
ねじ孔１１に接近して内側壁掛け金具４に複数（この実施の形態では４つ）の舌片２３が
一体突設され、該各舌片２３の先端部に回止め孔２４が貫設され、図２に仮想線Ｌ１．Ｌ
２で示すように、各舌片２３の根元部を２箇所で折り曲げてコ字状に形成することにより
、図１（ａ）に示すように、各舌片２３の先端部が各ねじ孔１１に所定間隔ｈ１をおいて
対向され、回止め孔２４がねじ孔１１と同心状に位置決めされている。上記以外の構成は
図６及び図７に示す構成とほぼ同じであるから、同一部分に同一符号を付してその説明を
省略する。
【００３６】
図１（ａ）に示すように、前記各舌片２３の先端部と内側壁掛け金具４との間の間隔ｈ
１が、ねじ孔１１にねじ込んだ正規のビス１５の内側壁掛け金具４からの突出長さｈ２よ
りも大きく設定されており（ｈ１＞ｈ２）、これによって、舌片２３に干渉されることな
く、正規のビス１５をねじ孔１１に根元まで確実にねじ込むことができる。
【００３７】
上記構成によれば、図４に示すように、誤って正規のビス１５よりも長尺のビス１８を
外側壁掛け金具５及びリアカバー２ａの貫通孔１３，１４を通って内側壁掛け金具４のね
じ孔１１にねじ込むと、長尺のビス１８の先端が舌片２３の回止め孔２４の内周面に食い
込み、そのねじ込みによる引張力Ｆで舌片２３の先端部が内側壁掛け金具４側に引っ張ら
れ、長尺のビス１８をそれ以上ねじ込むことが不可能となるので、その長尺のビス１８が
リアカバー２ａ内に深く入って電子部品などに接触することよりその電子部品を損傷させ
たりショートしたりするなどの事故を防ぐことができる。
【００３８】
前記各舌片２３が内側壁掛け金具４に一体延設されており、部品点数が増加せず、しか
も、その各舌片２３の先端部に回止め孔２４を形成しているだけであり、従来のようにね
じ孔２１ａ（図８参照）を形成していないから、構造簡単で製作費が安くつく。
【００３９】
図３に示すように、前記各回止め孔２４の内径ｄ１が各ビス１５の外径ｄ２を超えて大
きい場合には、図１（ａ）に二点鎖線Ａで示すように、誤ってねじ込んだ長尺のビス１８
の先端部が回止め孔２４を通過してリアカバー２ａ内の電子部品などに接触したりショー
ト事故を生じさせるおそれがある。
【００４０】
図３に示すように、各回止め孔２４の内径ｄ１が各ビス１５の谷の径ｄ３未満の場合に
は、図１（ａ）に一点鎖線Ｂで示すように、誤ってねじ込んだ長尺のビス１８の先端部に
より舌片２３が押し曲げられて、その長尺のビス１８の先端部がリアカバー２ａ内に深く
入って電子部品などに接触したりショート事故を生じさせるおそれがある。
【００４１】
そこで、本発明の第１の実施の形態では、各回止め孔２４の内径ｄ１が各ビス１５の外
径ｄ２よりも小さくてその各ビス１５の谷の径ｄ３よりも大きく設定されており、これに
よって、図４に示すように、誤ってねじ込んだ長尺のビス１８が回止め孔２４の内周面２
４ａに確実に食い込んで、その長尺のビス１８をそれ以上ねじ込めないようにすることが
できる。
【００４２】
具体的寸法の一例を示すと、ＪＩＳ規格のメートル並目ねじのＭ４雄ねじ（ビス１５）
において、図３（ｂ）に示すように、外径ｄ２が４．０００ｍｍ、谷の径ｄ３が３．２４
２ｍｍ、有効径ｄ４が３．５４５ｍｍであり、回止め孔２４の内径ｄ１が４．０００〜３
．２４２ｍｍ（好ましくは有効径ｄ４の近くの３．５００ｍｍ）に設定されている。また
、図３（ａ）に示すように、内側壁掛け金具４の板厚ｔが１．６ｍｍである。
【００４３】
図３（ａ）に示すように、各回止め孔２４のねじ孔側内周縁を面取りしてテーパ面２４
ｂが形成されており、誤ってねじ込んだ長尺のビス１８の先端部がテーパ面２４ｂに沿っ
て回止め孔２４に案内されるから、その長尺のビス１８の先端部を回止め孔２４の内周面
２４ａに一層確実に食い込ませることができる（図４参照）。
【００４４】
図５は本発明の第２の実施の形態である薄型表示装置２の壁掛け器具１を示すものであ
って、図５（ａ）は同内側壁掛け金具付近の要部の拡大縦断面図、図５（ｂ）は同正規の
ビスの突出状態を示す要部の拡大縦断面図、図５（ｃ）は同正規のビスのねじ込み状態を
示す要部の拡大縦断面図である。
【００４５】
図５（ａ）及び（ｂ）に示すように、各回止め孔２４の内周面２４ａとテーパ面２４ｂ
との間の境界線ｋから内側壁掛け金具４までの間隔ｈ３が、ねじ孔１１にねじ込んだ正規
のビス１５の内側壁掛け金具４からの突出長さｈ２と同一またはわずかに小さく設定され
ている（ｈ３≦ｈ２）。
【００４６】
上記構成によれば、図５（ｃ）に示すように、ねじ孔１１に正規のビス１５をねじ込む
ことにより、該ビス１５の先端部がテーパ面２４ｂに当接され、これによって、その正規
のビス１５のねじ込みが緩まないようにすることができる。
【００４７】
この場合、回止め孔２４及びテーパ面２４ｂを備えた舌片２３が、正規のビス１５のね
じ込み緩み止め機能と長尺のビス１８のねじ込み阻止機能との２つの機能を有しており、
使い勝手がよい。
【図面の簡単な説明】
【００４８】
【図１】（ａ）は本発明の第１の実施の形態である薄型表示装置の壁掛け器具を示す要部の拡大縦断面図、（ｂ）は同拡大分解斜視図である。
【図２】同舌片付近の拡大展開図である。
【図３】（ａ）は回止め孔付近の拡大縦断面図、（ｂ）は同ビスの先端部の拡大側面図である。
【図４】同長尺のビスをねじ込んだ状態の要部の拡大縦断面図である。
【図５】（ａ）は本発明の第２の実施の形態である薄型表示装置の壁掛け器具における内側壁掛け金具付近の要部の拡大縦断面図、（ｂ）は同正規のビスの突出状態を示す要部の拡大縦断面図、（ｃ）は同正規のビスのねじ込み状態を示す要部の拡大縦断面図である。
【図６】（ａ）は従来の一例を示す正面図、（ｂ）は同一部切欠き側面図である。
【図７】（ａ）は同要部の拡大縦断面図、（ｂ）は同要部の拡大分解斜視図である。
【図８】従来の他の例を示す縦断面図である。
【符号の説明】
【００４９】
１          壁掛け器具
２          薄型表示装置
３          壁面
４          内側壁掛け金具
５          外側壁掛け金具
６          係止具
１１        ねじ孔
１３，１４  貫通孔
１５        正規のビス
１８        長尺のビス
２３        舌片
２４        回止め孔
２４ａ      回止め孔の内周面
２４ｂ      テーパ面
ｄ１        回止め孔の内径
ｄ２        ビスの外径
ｄ３        ビスの谷の径
ｋ          境界線
【図１】
2008281024.tif 000003
【図２】
2008281024.tif 000004
【図３】
2008281024.tif 000005
【図４】
2008281024.tif 000006
【図５】
2008281024.tif 000007
【図６】
2008281024.tif 000008
【図７】
2008281024.tif 000009
【図８】
2008281024.tif 000010